(57)【要約】【課題】ラップアラウンド型の眼鏡であってもＰＤを容易に測定できる装置を提供する。【解決手段】左右の眼鏡レンズ１０１Ｌおよび１０１ＲのフィッティングポイントＦＬおよびＦＲにそれぞれ対応する位置に、基盤１０上を水平方向に移動する左右の測定子１３Ｌおよび１３Ｒと、左右の測定子１３Ｌおよび１３Ｒ同士の距離および／または左右の測定子１３Ｌおよび１３Ｒの一方の測定子の眼鏡フレーム１０２の中心Ｃからの距離を示すためのスケール１４と、左右の測定子１３Ｌおよび１３Ｒからそれぞれ基盤１０に対して垂直方向に突き出た左右の測定子アダプター１５Ｌおよび１５Ｒであって、左右の眼鏡レンズ１０１Ｌおよび１０１ＲのフィッティングポイントＦＬおよびＦＲと左右の測定子１３Ｌおよび１３Ｒとの間にそれぞれ配置可能な左右の測定子アダプター１５Ｌおよび１５Ｒとを有する。【選択図】図１
2009145801.tif 000002
【特許請求の範囲】
【請求項１】
眼鏡フレームに装着された左右の眼鏡レンズのフィッティングポイント同士の距離および／または前記左右の眼鏡レンズの一方の眼鏡レンズのフィッティングポイントの前記眼鏡フレームの中心からの距離を測定するための装置であって、
前記左右の眼鏡レンズのフィッティングポイントにそれぞれ対応する位置に、基盤上を水平方向に移動する左右の測定子と、
前記左右の測定子同士の距離および／または前記左右の測定子の一方の測定子の前記眼鏡フレームの中心からの距離を示すための距離表示手段と、
前記左右の測定子からそれぞれ前記基盤に対して垂直方向に突き出た左右の測定子アダプターであって、前記左右の眼鏡レンズのフィッティングポイントと前記左右の測定子との間にそれぞれ配置可能な左右の測定子アダプターとを有する、眼鏡用測定装置。
【請求項２】
請求項１において、前記左右の測定子アダプターは、それぞれ、前記眼鏡フレームの上下方向に延びた平板状で、上端が矩形状である、眼鏡用測定装置。
【請求項３】
請求項２において、前記左右の測定子アダプターは、それぞれ、前記上端に前記眼鏡フレームの上下方向の延びた基準線を含む、眼鏡用測定装置。
【請求項４】
眼鏡フレームに装着された左右の眼鏡レンズのフィッティングポイント同士の距離および／または前記左右の眼鏡レンズの一方の眼鏡レンズのフィッティングポイントの前記眼鏡フレームの中心からの距離を、測定装置を用いて測定する方法であって、
前記測定装置は、
前記左右の眼鏡レンズのフィッティングポイントにそれぞれ対応する位置に、基盤上を水平方向に移動する左右の測定子と、
前記左右の測定子同士の距離および／または前記左右の測定子の一方の測定子の前記眼鏡フレームの中心からの距離を示すための距離表示手段と、
前記左右の測定子からそれぞれ前記基盤に対して垂直方向に突き出た左右の測定子アダプターとを有し、
当該方法は、
前記左右の眼鏡レンズのフィッティングポイントと前記左右の測定子との間に、前記左右の測定子アダプターをそれぞれ配置することを含む、眼鏡の測定方法。
【請求項５】
請求項４において、前記左右の測定子アダプターは、それぞれ、前記眼鏡フレームの上下方向に延びた平板状で、上端が矩形状であり、前記左右の測定子アダプターは、それぞれ、その上端に前記眼鏡フレームの上下方向の延びた基準線を含み、
前記配置することは、前記左右の眼鏡レンズのフィッティングポイントと前記左右の測定子との間に、前記左右の測定子アダプターの前記基準線をセットすることを含む、眼鏡の測定方法。
【発明の詳細な説明】
【技術分野】
【０００１】
本発明は、眼鏡フレームに装着された左右の眼鏡レンズのフィッティングポイント同士の距離および／または左右の眼鏡レンズの一方の眼鏡レンズのフィッティングポイントの眼鏡フレームの中心からの距離を測定するための眼鏡用測定装置に関するものである。
【背景技術】
【０００２】
特許文献１に、眼鏡の製造方法が開示されている。眼鏡の製造方法では、組み立てられた眼鏡の仕上げ調整が終了した後、ＰＤ（左右の目の瞳孔間距離）検査などの検査が行われる。
【特許文献１】特開２００１−３１８３５１号公報
【発明の開示】
【発明が解決しようとする課題】
【０００３】
通常、眼鏡レンズ上のフィッティングポイント（眼鏡を掛けたときの目の位置）には、後で除去可能なマークが設けられている。そして、検査工程（検品工程）において、眼鏡フレームに左右の眼鏡レンズが枠入れされた後、それらの眼鏡レンズ上のフィッティングポイントの左右間距離（ＰＤ）の測定（検査）が行われる。眼鏡フレームに枠入れされた眼鏡レンズのフィッティングポイントのＰＤの測定には、従来、板状のスケールが用いられている。眼鏡を作成するために、ユーザの眼の位置（ＰＤ）を測定する際は、水平方向に真っすぐに伸びたスケールが通常用いられる。このため、眼鏡が作成された後の左右の眼鏡レンズのフィッティングポイントの距離を測定して所定のＰＤが得られているか否かを検査するためにも、真っすぐに伸びたスケールによりＰＤを得る必要がある。
【０００４】
近年、顔の丸みに沿ったスポーツグラスのようなラップアラウンド型と呼ばれる眼鏡のユーザが増加している。このようなラップアラウンド型と呼ばれる眼鏡では、眼鏡フレームに取り付けられた眼鏡レンズは顔の丸みに沿った位置になり、眼鏡フレームの上方から見たときに、眼鏡フレームの中心に対して典型的にはＶ字型あるいはＵ字型のアレンジ（水平方向のアレンジ）になる。このため、単純に真っすぐ伸びた板状のスケールと、顔の丸みに沿った位置の眼鏡レンズ上のフィッティングポイントの位置が離れやすく、ＰＤの精度の良い測定が難しい場合がある。例えば、眼鏡レンズ上のフィッティングポイントの位置が離れると、測定者の視線がフィッティングポイントとスケールの目盛とを通る垂線の方向から斜めになりやすく、ＰＤの測定が正確に測定できない場合がある。
【課題を解決するための手段】
【０００５】
本発明の一態様は、眼鏡フレームに装着された左右の眼鏡レンズのフィッティングポイント同士の距離（ＰＤ）および／または左右の眼鏡レンズの一方の眼鏡レンズのフィッティングポイントの眼鏡フレームの中心からの距離を測定するための装置（眼鏡用測定装置）である。この装置は、左右の眼鏡レンズのフィッティングポイントにそれぞれ対応する位置に、基盤上を水平方向に移動する左右の測定子と、左右の測定子同士の距離および／または左右の測定子の一方の測定子の眼鏡フレームの中心からの距離を示すための距離表示手段と、左右の測定子からそれぞれ基盤に対して垂直方向に突き出た左右の測定子アダプターであって、左右の眼鏡レンズのフィッティングポイントと左右の測定子との間にそれぞれ配置可能な左右の測定子アダプターとを有する。
【０００６】
この装置は、左右の測定子からそれぞれ基盤に対して垂直方向に突き出た左右の測定子アダプターを備えており、左右の測定子アダプターは、左右の眼鏡レンズのフィッティングポイントと左右の測定子との間にそれぞれ配置される。この装置によれば、左右の眼鏡レンズのフィッティングポイントと左右の測定子アダプターとの距離が近いため、左右の眼鏡レンズのフィッティングポイントと左右の測定子アダプターとの位置を合わせることにより、ラップアラウンド型と呼ばれるような眼鏡であっても、眼鏡フレームに装着された左右の眼鏡レンズのフィッティングポイント同士の距離（ＰＤ）および／または左右の眼鏡レンズの一方の眼鏡レンズのフィッティングポイントの眼鏡フレームの中心からの距離を、誤差が少ない状態で測定することができる。
【０００７】
この装置は、左右の測定子アダプターは、それぞれ、眼鏡フレームの上下方向に延びた平板状で、上端が矩形状であることが好ましい。左右の測定子アダプターを眼鏡フレームの上下方向に延びた平板状とすると、測定者の視線がフィッティングポイントを通る垂線の方向ではなく斜めである場合、測定者には、左右の測定子アダプターそれぞれの左右の側面の一方の面積が大きくなるように見える。したがって、測定者は、測定子アダプターの左右の側面の見える範囲が同じになるように、自身の視線を調整することにより、視線が斜めになることを抑制できる。この装置によれば、測定者は、自身の視線がフィッティングポイントを通る垂線の方向であるか否かを認識することができるため、より正確に、眼鏡フレームに装着された左右の眼鏡レンズのフィッティングポイント同士の距離（ＰＤ）および／または左右の眼鏡レンズの一方の眼鏡レンズのフィッティングポイントの眼鏡フレームの中心からの距離を測定できる。
【０００８】
また、この場合、左右の測定子アダプターは、それぞれ、上端に眼鏡フレームの上下方向の延びた基準線を含むことが好ましい。フィッティングポイントと基準線とを合わせることにより、さらに正確に、眼鏡フレームに装着された左右の眼鏡レンズのフィッティングポイント同士の距離（ＰＤ）および／または左右の眼鏡レンズの一方の眼鏡レンズのフィッティングポイントの眼鏡フレームの中心からの距離を測定できる。
【０００９】
本発明の他の態様は、眼鏡フレームに装着された左右の眼鏡レンズのフィッティングポイント同士の距離および／または左右の眼鏡レンズの一方の眼鏡レンズのフィッティングポイントの眼鏡フレームの中心からの距離を測定装置を用いて測定する方法である。測定装置は、左右の眼鏡レンズのフィッティングポイントにそれぞれ対応する位置に、基盤上を水平方向に移動する左右の測定子と、左右の測定子同士の距離および／または左右の測定子の一方の測定子の眼鏡フレームの中心からの距離を示すための距離表示手段と、左右の測定子からそれぞれ基盤に対して垂直方向に突き出た左右の測定子アダプターとを有する。この方法は、左右の眼鏡レンズのフィッティングポイントと左右の測定子との間に、左右の測定子アダプターをそれぞれ配置すること（配置する工程）を含む。
【００１０】
この方法によれば、左右の眼鏡レンズのフィッティングポイントと左右の測定子との間に、左右の測定子アダプターをそれぞれ配置するため、ラップアラウンド型と呼ばれるような眼鏡であっても、眼鏡フレームに装着された左右の眼鏡レンズのフィッティングポイント同士の距離（ＰＤ）および／または左右の眼鏡レンズの一方の眼鏡レンズのフィッティングポイントの眼鏡フレームの中心からの距離を、誤差が少ない状態で測定することができる。
【００１１】
左右の測定子アダプターが、それぞれ、眼鏡フレームの上下方向に延びた平板状で、上端が矩形状あり、左右の測定子アダプターは、それぞれ、その上端に眼鏡フレームの上下方向の延びた基準線を含む場合、上記配置すること（配置する工程）は、左右の眼鏡レンズのフィッティングポイントと左右の測定子との間に、左右の測定子アダプターの基準線をセットすることを含むことが好ましい。左右の眼鏡レンズのフィッティングポイントと左右の測定子との間に、測定子アダプターの基準線をセットすることにより、より正確に、眼鏡フレームに装着された左右の眼鏡レンズのフィッティングポイント同士の距離（ＰＤ）および／または左右の眼鏡レンズの一方の眼鏡レンズのフィッティングポイントの眼鏡フレームの中心からの距離を測定できる。
【発明を実施するための最良の形態】
【００１２】
以下、図面を参照して、本発明の一実施形態について説明する。図１は、本発明の一実施形態にかかる眼鏡用測定装置を示している。図２は、眼鏡の一例を示している。図３は、図１の眼鏡用測定装置の概略構成を示している。
【００１３】
この眼鏡用測定装置１は、例えば、ラップアラウンド型と呼ばれる眼鏡のＰＤを測定するのに適している。ラップアラウンド型と呼ばれる眼鏡は、顔の丸みに沿ったスポーツグラスのような眼鏡１００であり、その左右の眼鏡レンズ１０１Ｌおよび１０１Ｒは、眼鏡フレーム１０２の中心Ｃに対して後退した位置にある。すなわち、左右の眼鏡レンズ１０１Ｌおよび１０１Ｒの水平方向のアレンジは、図３に示すように、眼鏡フレーム１０２の上方から見たときに、略Ｕ字型あるいは略Ｖ字型になっている。この眼鏡用測定装置１は、このようなアレンジの左右の眼鏡レンズ１０１Ｌおよび１０１ＲのフィッティングポイントＦＬおよびＦＲ同士の距離（ＰＤ）を測定する際に好適である。この眼鏡用測定装置１は、また、このようなアレンジの左右の眼鏡レンズ１０１Ｌおよび１０１Ｒの一方の眼鏡レンズ１０１Ｌまたは１０１ＲのフィッティングポイントＦＬまたはＦＲの眼鏡フレーム１０２の中心Ｃからの距離（１／２ＰＤ）を測定する際に好適である。
【００１４】
左右の眼鏡レンズ１０１Ｌおよび１０１ＲのフィッティングポイントＦＬおよびＦＲ同士の距離（ＰＤ）を測定することにより、左右のフィッティングポイントＦＬおよびＦＲの位置と左右の目の瞳孔の位置とが合っているかどうかを検査（検品）することができる。また、眼鏡フレーム１０２のデザインなどにより、左のフィッティングポイントＦＬの眼鏡フレーム１０２の中心Ｃからの距離と、右のフィッティングポイントＦＲの眼鏡フレーム１０２の中心Ｃからの距離とが異なる場合には、これらを独立して測定することもできる。
【００１５】
本例の眼鏡用測定装置１は、基盤（ベース）１０と、眼鏡取付け部１１と、フレーム高さ位置調整部１２と、左右の測定子１３Ｌおよび１３Ｒと、スケール（距離表示手段）１４と、左右の測定子アダプター１５Ｌおよび１５Ｒとを備えている。
【００１６】
眼鏡取付け部１１は、眼鏡フレーム１０２の中央に当たる鼻当て部分１０３を保持可能であり、この眼鏡取付け部１１に眼鏡１００をセットすることにより、基盤１０に眼鏡１００がセットされる。測定装置１において、この眼鏡取付け部１１は、眼鏡フレーム１０２の中心Ｃの位置を決めるものである。フレーム高さ位置調整部１２は、眼鏡１００の上下位置の設定に用いるものであり、このフレーム高さ位置調整部１２を操作することにより、眼鏡１００の基盤１１に対する高さを調整することができる。このため、左右の眼鏡レンズ１０１Ｌおよび１０１Ｒと、左右の測定子アダプター１５Ｌおよび１５Ｒとが接近しても、直に接触することがないような位置に眼鏡１００を測定装置１にセットすることができる。
【００１７】
左右の測定子１３Ｌおよび１３Ｒは、それぞれ、基盤１０にセットされた眼鏡１００の左右の眼鏡レンズ１０１Ｌおよび１０１ＲのフィッティングポイントＦＬおよびＦＲにそれぞれ対応する位置に、基盤１０上を水平方向に移動する。左右の測定子１３Ｌおよび１３Ｒは、それぞれ、測定子位置調整部１６Ｌおよび１６Ｒを回転させることにより、独立して、水平方向に移動する。
【００１８】
スケール１４は、ＰＤを測定する精度に基づいた所定の間隔で目盛りが設けられている。スケール１４と、左右の測定子１３Ｌおよび１３Ｒとは、それら同士の距離および／または左右の測定子１３Ｌおよび１３Ｒの一方の測定子１３Ｌまたは１３Ｒの眼鏡フレーム１０２の中心Ｃからの距離を示すように関係付けられている。
【００１９】
左右の測定子アダプター１５Ｌおよび１５Ｒは、左右の測定子１３Ｌおよび１３Ｒからそれぞれ基盤１０に対して垂直方向に上方、すなわち、左右の眼鏡レンズ１０１Ｌおよび１０１Ｒに向かって突き出ている。このため、左右の測定子１３Ｌおよび１３Ｒを動かすことにより、左右の測定子アダプター１５Ｌおよび１５Ｒは、左右の眼鏡レンズ１０１Ｌおよび１０１ＲのフィッティングポイントＦＬおよびＦＲと左右の測定子１３Ｌおよび１３Ｒとの間にそれぞれ配置可能である。左右の測定子アダプター１５Ｌおよび１５Ｒは、それぞれ、眼鏡フレーム１０２の上下方向（測定装置１の前後方向）に延びた平板状で、上端が矩形状である。左右の測定子アダプター１５Ｌおよび１５Ｒは、それぞれ、上端に眼鏡フレーム１０２の上下方向の延びた基準線１７Ｌおよび１７Ｒ（図４参照）を含んでいる。なお、測定子アダプターは、突出量が調整できるようになっていてもよい。
【００２０】
図４は、図１の眼鏡用測定装置１を用いてＰＤを測定している状態を模式的に示している。この装置では、以下のようにして、フレームに装着された左右の眼鏡レンズ１０１Ｌおよび１０１ＲのフィッティングポイントＦＬおよびＦＲ同士の距離を測定する。また、左右一方の眼鏡レンズ１０１Ｌまたは１０１ＲのフィッティングポイントＦＬまたはＦＲの眼鏡フレーム１０２の中心Ｃからの距離を測定する。
【００２１】
まず、眼鏡取付け部１１に眼鏡１００をセットする。そして、測定子位置調整部１６Ｌおよび１６Ｒを回転させることにより左右の測定子１３Ｌおよび１３Ｒを移動させ、左右の眼鏡レンズ１０１Ｌおよび１０１ＲのフィッティングポイントＦＬおよびＦＲと左右の測定子１３Ｌおよび１３Ｒとの間に、左右の測定子アダプター１５Ｌおよび１５Ｒがそれぞれ配置されるようにする。より具体的には、左右の眼鏡レンズ１０１Ｌおよび１０１ＲのフィッティングポイントＦＬおよびＦＲと左右の測定子１３Ｌおよび１３Ｒとの間に、左右の測定子アダプター１５Ｌおよび１５Ｒの基準線１７Ｌおよび１７Ｒをセットする。
【００２２】
左右の眼鏡レンズ１０１Ｌおよび１０１ＲのフィッティングポイントＦＬおよびＦＲは、図２に示すように、それぞれの眼鏡レンズ１０１Ｌおよび１０１Ｒの両側に設けられた隠しマークに基づく所定の条件で得ることができる。たとえば、両側の隠しマークの中央がフィッティングポイントになる。測定装置１にセットされる前に、測定者は、隠しマークに基づき、眼鏡レンズ１０１Ｌおよび１０１Ｒに、フィッティングポイントＦＬおよびＦＲを示すマークをそれぞれ、後で洗浄することなどにより除去できる簡単な方法、例えば、水性インクなどにより記載する。
【００２３】
ラップアラウンド型のように左右の眼鏡レンズ１０１Ｌおよび１０１Ｒが眼鏡フレーム１０２の中心Ｃに対して後退した位置にある眼鏡では、左右の測定子アダプター１５Ｌおよび１５Ｒが設けられていないと、左右の測定子１３Ｌおよび１３Ｒと左右の眼鏡レンズ１０１Ｌおよび１０１Ｒとの間が遠くなる。眼鏡１００を装着するユーザの視点距離ＰＤは、平坦なスケールに基づいて測定されているので、そのような平坦なスケールと、立体的に傾いた左右の眼鏡レンズ１０１Ｌおよび１０１Ｒとの間を左右の測定子アダプター１５Ｌおよび１５Ｒが埋める。したがって、眼鏡フレーム１０２に装着された左右の眼鏡レンズ１０１Ｌおよび１０１ＲのフィッティングポイントＦＬおよびＦＲ同士の距離（ＰＤ）を正確に測定できる。また、左右の眼鏡レンズ１０１Ｌおよび１０１Ｒの一方の眼鏡レンズ１０１Ｌまたは１０１ＲのフィッティングポイントＦＬまたはＦＲの眼鏡フレーム１０２の中心Ｃからの距離を正確に測定できる。
【００２４】
本例の眼鏡用測定装置１および測定方法によれば、左右の測定子アダプター１５Ｌおよび１５Ｒが設けられているため、図３などに示すように、左右の眼鏡レンズ１０１Ｌおよび１０１ＲのフィッティングポイントＦＬおよびＦＲと左右の測定子アダプター１５Ｌおよび１５Ｒとの距離は近い。したがって、ラップアラウンド型のような眼鏡１００であっても、眼鏡フレーム１０２に装着された左右の眼鏡レンズ１０１Ｌおよび１０１ＲのフィッティングポイントＦＬおよびＦＲ同士の距離（ＰＤ）または一方のフィッティングポイントＦＬまたはＦＲの眼鏡フレーム１０２の中心Ｃからの距離を、誤差が少ない状態で測定することができる。
【００２５】
また、本例の眼鏡用測定装置１および測定方法によれば、左右の測定子アダプター１５Ｌおよび１５Ｒが眼鏡フレーム１０２の上下方向に延びる平板状である。このため、測定者の視線がフィッティングポイントを通る垂線の方向ではなく斜めである場合、測定者には、左右の測定子アダプター１５Ｌおよび１５Ｒそれぞれの左右の側面の一方が他方よりも多く（大きな面積）見える。したがって、それぞれの測定子アダプター１５Ｌおよび１５Ｒの左右の側面の見え方により、測定者は、自身の視線が垂直であるか、あるいは斜めであることを認識できる。このため、この眼鏡用測定装置１および測定方法によれば、測定者は、それぞれの測定子アダプター１５Ｌおよび１５Ｒの左右の側面の見え方を同じにすることにより、測定者の視線がフィッティングポイントを通る垂線の方向に直したり、垂直であることを確認することができる。したがって、より正確に、フィッティングポイントＦＬおよびＦＲ同士の距離（ＰＤ）および／または左右一方のフィッティングポイントＦＬまたはＦＲの眼鏡フレーム１０２の中心Ｃからの距離を測定できる。
【００２６】
なお、それぞれの測定子アダプター１５Ｌおよび１５Ｒは、先端（上方）が下方より細くなったテーパー状であってもよい。
【図面の簡単な説明】
【００２７】
【図１】本発明の一実施形態にかかる眼鏡用測定装置を示す斜視図。
【図２】眼鏡の一例を示す正面図。
【図３】図１の眼鏡用測定装置の概略構成を示す図。
【図４】図１の眼鏡用測定装置を用いてＰＤを測定している状態を模式的に示す図。
【符号の説明】
【００２８】
１    眼鏡用測定装置、  １０    基盤
１３Ｌ、１３Ｒ    左右の測定子、  １４    スケール（距離表示手段）
１５Ｌ、１５Ｒ    左右の測定子アダプター、  １７Ｌ、１７Ｒ    基準線
１００    眼鏡、  １０１Ｌ、１０１Ｒ    左右の眼鏡レンズ
１０２    眼鏡フレーム、  Ｃ    眼鏡フレームの中心
ＦＬ、ＦＲ    左右のフィッティングポイント
【図１】
2009145801.tif 000003
【図２】
2009145801.tif 000004
【図３】
2009145801.tif 000005
【図４】
2009145801.tif 000006